(57)【要約】【課題】    掛け具のアーム（b）に荷重が掛かっていてもいなくても掛け具のアーム（b）に外力が作用したときに、掛け具が取り付け側のパイプAより床等に落下したりしないようにする点にある。 【解決手段】    ロッド（1）一端側をコイル状に、取り付け側のパイプAにはまる大きさと取り付け側のパイプAが間に入るような間隔とをもって、しかも取り付ける側のパイプAに絡ませることができるように巻いたものとし、多端側には巻いたコイル（ａ）の軸方向に対して横方向に出っ張るアーム（b）とした掛け具において、ロッド（１）にちょうどはまる軸穴６と絡ませた取り付け側のパイプA側に渡しかけられる形状とを備えた外れ防止具（５）をロッド１にはめ入れている。【選択図】図1
2010115480.tif 000002
【特許請求の範囲】
【請求項１】
棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と絡ませた棒状体側に渡し掛けられる形状とを併せ備えた外れ防止具（5）をアーム（b）に設けた外れ防止掛け具。
【請求項２】
棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力により外れ落ちることを防止するための、アーム（b）に丁度はまる軸穴（６）と絡ませた棒状体側に渡し掛けられる形状も備えてかつ回動できるこの外れ防止具（5）を棒状体側との間で挟持する挟持片（８）をアーム（b）に設けた外れ防止掛け具。
【請求項３】
棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられてコイル（a）寄りのアーム（b）にはめた状態で棒状体に又は棒状体を絡ませることができる形状も備えてかつ回動もできるこの外れ防止具（5）を棒状体側との間で挟持する挟持片（８）をアーム（b）に設けた外れ防止掛け具。
【請求項４】
棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられる形状を併せ備えた外れ防止具（５）をアーム（b）にはめて、外れ防止具（５）の軸穴（６）より前方又は後方の位置において、アーム（b）側と外れ防止具（５）側との間又はコイル（a）側と外れ防止具（５）側との間にバネ（１０）を設け、外れ防止具（５）を棒状体側へ付勢できるようにした外れ防止掛け具。
【請求項５】
棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられてコイル（a）寄りのアーム（b）にはめた状態で棒状体に又は棒状体を絡ませることができる形状も備えてかつ回動もできるこの外れ防止具（5）をアーム（b）にはめて、軸穴（６）より前方又は後方のアーム（ｂ）において、アーム（b）側と外れ防止具（５）側との間又はコイル（a）側と外れ防止具（５）側との間にバネ（１０）を設け、外れ防止具（５）を棒状体側へ付勢できるようにした外れ防止掛け具。
【請求項６】
棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちを防止するための、アーム（b）に丁度はまる軸穴（６）と棒状体側に渡し掛けられる形状とを併せ備えた外れ防止具（5）をアーム（b）に設けた外れ防止掛け具。
【請求項７】
棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちを防止するための、アーム（b）に丁度はまる軸穴（６）と棒状体側に渡し掛けられる形状も備えてかつ回動できるこの外れ防止具（5）を棒状体側との間で挟持する挟持片（８）をアーム（b）に設けた外れ防止掛け具。
【請求項８】
棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちを防止するための、アーム（b）に丁度はまる軸穴（６）と棒状体側に渡し掛けられる形状も備えてかつ回動できるこの外れ防止具（5）をアーム（b）にはめて、外れ防止具（５）の軸穴（６）より前方又は後方の位置において、アーム（b）側と外れ防止具（５）側との間又はコイル（a）側と外れ防止具（５）側との間にバネ（１０）を設け、外れ防止具（５）を棒状体側へ付勢できるようにした外れ防止掛け具。
【請求項９】
外れ防止部具（5）に回り止め（4）を設けたものである、請求項１〜請求項８のいずれか一項に記載の外れ防止具掛け具。  
【請求項１０】
コイル（ａ）及びコイル（ａ）寄りのアーム（ｂ）にかけて被覆材（７）を設けたものである、請求項1〜請求項９のいずれか一項に記載の外れ防止具掛け具。
【請求項１１】
棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具及び棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちることを防止するための、アーム（b）に丁度はまる軸穴（６）と絡ませた又は通しいれた棒状体側に渡し掛けられる形状とを備えた外れ防止掛け具用外れ防止具（5）。
【請求項１２】
棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられてコイル（a）寄りのアーム（b）にはめた状態で棒状体に又は棒状体を絡ませることができる形状も備えてかつ回動もできる外れ防止掛け具用外れ防止具（5）。
【請求項１３】
回り止め4を設けたものである、請求項１１又は請求項１２に記載の外れ防止掛け具用外れ防止具（５）。  
【発明の詳細な説明】
【技術分野】
【０００１】
本発明は、棒やパイプの一端側をコイル状に巻き、棒状やパイプ状等の柱に絡ませて他端側にランタンや帯等を掛けて使用するハンガーを、外力により容易に滑り落ちたり落下したりすることのないようにしたハンガーに関するものである。また、該ハンガーに取り付けて使用するハンガー用持ち上がり防止具に関するものである。
【背景技術】
【０００２】
従来、太い針金一端側をまるいコイル状に巻いたものを垂直な円筒パイプに取り付け、他端側を腕木として掛け吊るすハンガーとしては、取り付け側のパイプに巻かれたコイル（a）を下方又は上方から通して使用する通しタイプのものと、通さずにコイル（a）をパイプに直接横から絡ませて使用する横掛けタイプのものがある。横掛けタイプとしては、これまで特許文献1に開示されるものが使用されてきた。すなわち、図７及び図８にみられるように、ステンレスの丸棒で作られたロッド1の一端側を、取り付け側のパイプの外径寸法よりも大きな内径とピッチ幅で円筒形に１巻きほど巻いたコイルaに加工し、コイル（a）をパイプの横から引き込めて絡ませることができるようにしている。そして、コイル（a）には摩擦の大きな樹脂製チューブの被覆材７を取り付け、曲線状のコイル（a）より横方向まっすぐに伸びるロッド１の先端側をかぎ状にしたフック3に、ランタンの手提げ部分を吊るせるようにしたものである。他の使用例として、短くしたロッド１の先端側に着物の帯幅ほどの長さの木製の丸棒を取り付けて帯掛けとしたものもある。一方、通しタイプのものは、ロッド1の一端側を、取り付け側のパイプ等の外径寸法よりも少し大きな内径寸法で円筒形に細かいピッチで２巻きほど巻いたコイル（a）とし、コイル（a）辺りには摩擦の大きな樹脂製チューブの被覆材７を取り付け、横方向にのびる他端側をランタンや着物の帯等を掛けるものとしている
【０００３】
この従来のハンガーは、次のように使用する。横掛けタイプの場合、ロッド１の先端側のフック部３を握り、コイル（a）寄りのアーム（b）を取り付けパイプの手前側の周壁にあてがい、ロッド1を回してコイル（a）をパイプの横から引き込めるようにして、コイルａを斜め上方向に引き入れ（コイル（ａ）がパイプを抱き込みパイプの外周に位置するようにして）、向こう側に９０度ほどひねりコイル（a）をパイプに絡ませ手を離す。すると、横に伸びるロッド１の重さでコイル部にも設けた被覆材７とパイプの間に大きな摩擦が生じ、ハンガーはパイプに絡みつき固定される。ロッド１の先端側に重量のあるランタンや帯等を掛け吊るすと更に摩擦が大きくなりしっかりと絡みつき固定状態が安定する。本体の向きや高さを調整するときは、先端側を少し持ち上げてから上げ下げしたり回したりして調整する。そして、適当な所で手を離すと固定される。
【０００４】
外すときは逆の操作、すなわちフック部３を少し持ち上げ本体を斜めにし、ロッド１を手前側に９０度ほどひねりパイプへの絡みを解き、コイル（a）を斜め下方に押し出し、本体をパイプから取り外す。つぎに、通しタイプのものは、取り付け側のパイプに差し込んで使用する。高さや向き調整をするときは、同様に先端側を少し持ち上げた状態で上下させたり回したりして適当な所で手を離す。すると、ロッド１の重さでチューブ状の被覆材７とパイプの間に大きな摩擦が生じ、本体はパイプに絡みつき固定される。両タイプとも、厚みのある合成ゴム製や合成樹脂製の被覆材７をコイル（a）に設けるためと、高さ調整のときに本体を上下にスライドさせやすくするため、コイル（a）の内径は取り付け側のパイプ等の外径寸法よりも大きくして遊びを持たせている。特に、横掛けタイプにおいては取り付け側のパイプ等の外径よりもかなり大きなコイルピッチすなわちステンレスの丸棒どうしの間隔を広くとり、コイル（a）の取り付けパイプ側への引き込みを容易にしている。
【先行技術文献】
【特許文献】
【０００５】
【特許文献１】特開平１１−１０３９９９
【発明の概要】
【発明が解決しようとする課題】
【０００６】
以上のように、従来の横掛けタイプのハンガーは、垂直に立っているパイプや棒等に直接横から簡単に掛け外しできて高さや向きも簡単自在に調整ができる。そしてロッド１の先端側に荷重が掛かれば掛かるほどグリップ力はさらに増大し本体は滑りにくくなる構造の便利なものである。一方、通しタイプものも横から直接絡め止めることができない点を除けば同様の効果がある。しかし、いずれも次のような欠点があった。ランタンや着物の帯がロッド1のアーム（ｂ）に掛けられている場合、すなわち大きな荷重がアーム（b）に掛かっているときは、本体はパイプから簡単に外れ落ちることはない。しかし、荷重が小さなときや荷重が掛かっていない場合のときに、例えば両手で持った帯を掛けようとするときにロッド１に帯が触れたりしたとき等ちょっとした外力が作用したりすると、フック（ａ）のパイプ等への絡みは容易に外れ本体は地上や床上に落下した。特に下方からの外力が作用すると、いとも簡単に床に落ちてしまった。通しタイプのものにおいては、直接床等に落下することはないが、通したパイプ等の回りを滑り落ちたり小刻み振動したりしながら落ちていった。そのため、そのたびごとに本体を掛け直したり、高さや向きの位置調整を再度したりしなければならなかった。
【０００７】
又、従来技術において、上述のハンガーはパイプ状や棒状の柱に取り付けアーム（b）にランタン等を掛け吊るすものであるが、逆に、この便利なハンガーのコイル（a）を上側にして直立させて棒状やパイプ状の柱状体、例えば剣道の竹刀、野球のバッド、ゴルフのクラブ等用の掛け具として利用する発想は皆無であった。このような使用の場合においても上から又は下からの外力が柱状体に作用すると、この柱状体は簡単に床等に外れ落ちてしまった。
【０００８】
本発明の発明者は、ハンガーに外力が作用しても取り付けたパイプ等の回りを滑り落ちたり床等に落下したりしないようにするには、どうすればよいかと考えた。そこで、無負荷のハンガーに多方向から外力を作用させ落ちる状況を繰り返し観察してみた。そして、落ちる原因を究明することができた。すなわち、図7に見られるように、ハンガーは、アーム（ｂ）の重心である力点Ｇ、取り付け側のパイプの裏側でコイル（ａ）と接触する部分を支点Ｐ、取り付けるパイプの表側でコイル（ａ）と接触する部分を作用点Ｆとするレバーに置き換えることができる。ロッド１の腕木側の重さと腕の長さＰＧによる点Ｐを支点とする左回りのモーメントが作用点Ｆ及び支点Ｐにパイプを押し付ける力として働く。この押し付ける力は、アーム（b）左回りモーメントが一定ならば距離ＰＦが長くなるほどすなわちコイル（a）のピッチや内径が大きくなるほど小さくなり摩擦力は減少する。負荷の小さなときや無負荷のときはアーム（b）掛かる荷重が小さい、よって押し付ける力も小さい。そのため、上方からの小さな外力であっても軽いアーム（b）はバウンドし跳ね上がり小さな持ち上がり現象が生じる。その持ち上がった一瞬、支点Ｐ及び作用点Ｆがパイプより離れハンガーは滑り落ちるのである。下方から外力作用する場合においては、アーム（b）に負荷が作用していても簡単に外れ落ちてしまうのである。
【０００９】
本発明が解決しようとする課題は、簡単操作で、荷重が掛かっていてもいなくても従来ハンガーに外力が作用したときに、従来ハンガーが取り付け側の柱状体の回りを滑り落ちたり床等に落下したり、しないようにする点にある。
又、逆に柱状体を掛けるためにこの従来ハンガーを使用したときにおいて、簡単操作で、荷重が掛かっていてもいなくても外力によって従来ハンガーのコイルに通した柱状体がコイルの中を滑り動いたり滑抜け落ちたり、あるいは従来ハンガーに絡め止めた柱状体が床等に落下したりすることのないようにする点にある。
【課題を解決するための手段】
【００１０】
本発明においてそのような課題を解決したが、本発明に係るハンガーは次のようなものである。すなわち、棒状体又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と絡ませた棒状体側に渡し掛けられる形状とを併せ備えた外れ防止具（5）をアーム（b）に設けた外れ防止掛け具である。また、このものにおいて、コイル（ａ）及びコイル（ａ）寄りのアーム（ｂ）にかけて被覆材７を設けたり、外れ防止具5に回り止め4を設けたりしたものとしてもよい。
【００１１】
または、棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力により外れ落ちることを防止するための、アーム（b）に丁度はまる軸穴（６）と絡ませた棒状体側に渡し掛けられる形状も備えてかつ回動できるこの外れ防止具（5）を棒状体側との間で挟持する挟持片（８）をアーム（b）に設けた外れ防止掛け具である。また、このものおいて、外れ防止具5に回り止め4を設けたり、コイル部（ａ）及びコイル部（ａ）寄りのアーム（b）にかけて被覆材７を設けたりしてもよい。
【００１２】
または、棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられてコイル（a）寄りのアーム（b）にはめた状態で棒状体に又は棒状体を絡ませることができる形状も備えてかつ回動もできるこの外れ防止具（5）を棒状体側との間で挟持する挟持片（８）をアーム（b）に設けた外れ防止掛け具である。また、このものにおいて外れ防止具（5）に回り止め4を設けたり、コイル部ａ及びコイル部（ａ）寄りのアーム（b）にかけて被覆材７を設けたりしたものとしてもよい。
【００１３】
または、棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられる形状を併せ備えた外れ防止具（５）をアーム（b）にはめて、外れ防止具（５）の軸穴（６）より前方又は後方の位置において、アーム（b）側と外れ防止具（５）側との間又はコイル（a）側と外れ防止具（５）側との間にバネ（１０）を設け、外れ防止具（５）を棒状体側へ付勢できるようにした外れ防止掛け具である。また、このものおいて外れ防止具（5）に回り止め4を設けたり、コイル部（ａ）及びコイル部（ａ）寄りのアーム（b）にかけて被覆材７を設けたりしたものとしてもよい。
【００１４】
または、棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられてコイル（a）寄りのアーム（b）にはめた状態で棒状体に又は棒状体を絡ませることができる形状も備えてかつ回動もできるこの外れ防止具（5）をアーム（b）にはめて、軸穴（６）より前方又は後方のアーム（ｂ）において、アーム（b）側と外れ防止具（５）側との間又はコイル（a）側と外れ防止具（５）側との間にバネ（１０）を設け、外れ防止具（５）を棒状体側へ付勢できるようにした外れ防止掛け具である。また、このものにおいて外れ防止具（5）に回り止め4を設けたり、コイル部（ａ）及びコイル部（ａ）寄りのアーム（b）にかけて被覆材７を設けたりしたものとしてもよい。
【００１５】
または、棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちを防止するための、アーム（b）に丁度はまる軸穴（６）と棒状体側に渡し掛けられる形状とを併せ備えた外れ防止具（5）をアーム（b）に設けた外れ防止掛け具である。また、このものにおいて外れ防止具5に回り止め4を設けたり、コイル部（ａ）及びコイル部（ａ）寄りのアーム（b）にかけて被覆材７を設けたりしたものとしてもよい。
【００１６】
棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちを防止するための、アーム（b）に丁度はまる軸穴（６）と棒状体側に渡し掛けられる形状も備えてかつ回動できるこの外れ防止具（5）を棒状体側との間で挟持する挟持片（８）をアーム（b）に設けた外れ防止掛け具である。また、このものにおいて外れ防止具（5）に回り止め4を設けたり、コイル部（ａ）及びコイル部（ａ）寄りのアーム（b）にかけて被覆材７を設けたりしたものとしてもよい。  
【００１７】
または、棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちを防止するための、アーム（b）に丁度はまる軸穴（６）と棒状体側に渡し掛けられる形状も備えてかつ回動できるこの外れ防止具（5）をアーム（b）にはめて、外れ防止具（５）の軸穴（６）より前方又は後方の位置において、アーム（b）側と外れ防止具（５）側との間又はコイル（a）側と外れ防止具（５）側との間にバネ（１０）を設け、外れ防止具（５）を棒状体側へ付勢できるようにした外れ防止掛け具である。また、このものにおいても外れ防止具（5）に回り止め4を設けたり、コイル部（ａ）及びコイル部（ａ）寄りのアーム（b）にかけて被覆材７を設けたりしたものとしてもよい。
【００１８】
又は、棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具及び棒状体に又は棒状体をはめ入れることができる太さで、棒状体に又は棒状体を通し入れることができるように巻いたコイル（a）よりコイルの軸方向に対して横方向に出っ張るアーム（b）を設けた掛け具において、掛け具又は棒状体のどちらか一方が外力による外れ落ちることを防止するための、アーム（b）に丁度はまる軸穴（６）と絡ませた又は通しいれた棒状体側に渡し掛けられる形状とを備えた外れ防止掛け具用外れ防止具（5）である。また、これらものにおいて回り止め4を設けたものとしてもよい。
【００１９】
または、棒状体に又は棒状体をはめることができる太さと、棒状体の間に又は棒状体を間に入れことができきる間隔とをもち、しかも棒状体に又は棒状体を絡ませることができるように巻いたコイル（a）よりコイルの軸方向に対して横方向に出っ張るアーム（b）を設けた掛け具において、互いに絡み合った掛け具又は棒状体のどちらか一方が外力による外れ落ちることを防止するための、アーム（b）に丁度はまる軸穴（６）と、絡ませた棒状体側に渡し掛けられてコイル（a）寄りのアーム（b）にはめた状態で棒状体に又は棒状体を絡ませることができる形状も備えてかつ回動もできる外れ防止掛け具用外れ防止具（5）である。また、このものにおいて回り止め4を設けたものとしてもよい。
作用
【００２０】
本発明に係るハンガーは、次のように使用する。
横掛けタイプで外れ防止具５の軸穴6の短い物は次のように使用する。横からロッド1の先端側のかぎ状フック部３を握り、コイル（ａ）寄りのアーム（ｂ）を取り付け側のパイプの周壁の手前側または後ろ側あてがい、コイル部ａを取り付けパイプ等の横から引き込めるようにして、コイル（ａ）を斜め上方向に引き入れて、（コイル（ａ）が取り付けパイプ等を抱き込み取り付けパイプ等の外周に位置するようにして）向こう側または手前側に９０度ほどひねりコイル（ａ）をパイプに絡ませる。次に、ロッド1を下方に押さえ込みたわませながらロッド1上の回り止め４を先端側に設けた外れ防止具5を滑らし動かし取り付け側のパイプの周壁に押し当て手を離す。すると、たわんだロッド１が元に戻ろうとする力によって、短い軸穴6とロッド１との間に大きな摩擦が生じ、また取り付けパイプ等と外れ防止具5の接触する部分にも大きな摩擦が生じる。そのため、外れ防止具5は動かず、下方からの外力もブロックし、本体は取り付け側のパイプ等にしっかりと絡みつき外れ落ちることはない。
【００２１】
また、コイル（ａ）及びコイル部（ａ）寄りのアーム（ｂ）にかけて設けた摩擦の大きな被覆材７の作用も手伝い取り付け側のパイプ等にしっかりと絡みつく。そして、丸いかぎ状フック3にランタン等を吊るし掛ける。もし、吊り下げる重量が大きくてロッド1が更にたわむようなことがあっても外れ防止具（5）に設けた回り止め4の働きにより外れ防止具５はロッド1の向こう側にまわり落ちることなく外れ防止機能を維持する。外す時は、逆の操作すなわち、ロッド1を下方に押さえ込みロッド１をたわませる。すると、外れ防止具５を手前側または後ろ側に軽く回せたり、先端側にずらせたりすることができ外れ防止機能を解除できる。次に、フック部３を少し持ち上げ本体を斜めにし、ロッド１を手前側または向こう側に９０度ほどひねり取り付けパイプ等への絡みを解き、コイル（ａ）を斜め下方に押し出し、本体を取り付けパイプ等から取り外す。
【００２２】
次に、横掛けタイプで外れ防止具５の軸穴6の長い物は次のように使用する。長い丸棒でできた挟持片8の中央を握り、外れ防止具５を取り付け側のパイプに押しつけたまま丸棒を回してコイル（ａ）をパイプの横から引き込めるようにして、コイル（ａ）を斜め上方向に引き入れて、（コイル（ａ）がパイプを抱き込みパイプの外周に位置するようにして）向こう側または手前側に９０度ほどひねりコイル（ａ）をパイプに絡ませる。そして、棒状の挟持片８を下方に押さえ込みロッド1をたわませながら、外れ防止具5をパイプの周壁に当てて外れ防止具5に設けた回り止め４が取り付け側パイプに当たるまで回し込み、手を離す。すると、たわんだ力は外れ防止具5を丸棒の挟持片8側に押そうとするが、丸棒の挟持片８はロッド1にしっかりと固定されているため、取り付け側のパイプと外れ防止具5の接触する部分に大きな摩擦が生じ外れ防止具5は動かない。そのため、本体は取り付け側のパイプにしっかりと固定され、外力が働いても外れ落ちることはない。また、このとき外れ防止具5の重心はロッド1の向こう側に移り外れ防止具5を常に向こう側に回そうとしている。そして、滑らかな丸棒でできた挟持片8上に着物の帯等を横から乗せ掛け使用する。たとえ重い帯を数枚重ねて掛けるようなことがありロッド1がさらにたわむようなことがあっても回り止め4が働き外れ防止具５は向こう側に回り落ちることはない。外す時は、逆の操作すなわち、棒状の挟持片8を下方に押さえ込みながら外れ防止具5を手前または後ろ側に回して外す。次に、丸棒の挟持片8を少し持ち上げ本体を斜めにして、ロッド１を手前側または後ろ側に９０度ほどひねり持ち上げ取り付け側のパイプへの絡みを解き、コイル（ａ）を斜め下方に押し出し、本体を取り付け側のパイプから取り外す。
【００２３】
また、横掛けタイプで軸穴6の長い円柱状の外れ防止具５の場合は次のように使用する、先端側のフック部３を握り、外れ防止具５を金属パイプ（円筒）側に押しつけたままロッド1を回してコイル（ａ）を金属パイプの横から引き込めるようにして、コイル部ａを斜め上方向に引き入れて、（コイル（ａ）が金属パイプを抱き込み金属パイプの外周に位置するようにして）向こう側または手前側に９０度ほどひねりコイル（ａ）を金属パイプに絡ませる。このものは、外れ防止具5を操作するときにロッド1を下方に押さえ込みたわませる必要がない。外れ防止具5を金属パイプの周壁に当てて回し込むと、外れ防止具５は回りながら同時に挟持片8側へロッド１上を滑り動き外れ防止具5に設けた板ばね２０を押し縮める。円柱体は回転運動を直線運動に変えるカムのような働きをする。
【００２４】
次に、外れ防止具5に設けた磁石製の回り止め４が金属パイプ側に達した時点で手を離すと、外れ防止具5は磁石の吸着力や板バネ２０の力で金属パイプＣ側に常に押されて回ったりすることなく金属パイプ上にとどまる。下方からの外力が働いても板バネ2０が外力を吸収し外れ防止具5を金属パイプ側に押し続けるため本体は床上に外れ落ちるようなことはない。また、吊り掛けるランタン等が非常に重いものであってロッド1がさらにたわむようなことがあっても、外れ防止具5は磁力により金属パイプＣ側に吸い付き離れず更に板ばね２０により金属パイプＣ側に押され続ける。外す時も、ロッド1を下方に押さえ込む必要がなく外れ防止具5を手前または向こう側に回すだけでよい。そして、フック部３を少し持ち上げ本体を斜めにし、ロッド１を手前側または向こう側に９０度ほどひねり金属パイプへの絡みを解き、コイル（ａ）を斜め下方に押し出し、本体をパイプから取り外す。
【００２５】
次に、横掛けタイプで外れ防止具５の軸穴6の長く、バネ１０を併用するものおいては次のように使用する。丸棒１５の中央辺りを握り、外れ防止具５を取り付け側パイプに押しつけたまま丸棒１５を回してコイル（ａ）をパイプの横から引き込めるようにして、コイル（ａ）を斜め上方向に引き入れて、（コイル（ａ）がパイプを抱き込みパイプの外周に位置するようにして）向こう側または手前側に９０度ほどひねりコイル（ａ）をパイプに絡ませる。このものは、外れ防止具5を操作するときに丸棒１５を下方に押さえ込みロッド１をたわませる必要がない。外れ防止具5をパイプの周壁に当てて親指で回し込むと、外れ防止具５はパイプの周壁上をスムースに滑りながら同時にストッパー１8側へ回りながらロッド１上を滑り動きロッド1に設けたコイルバネ10を押し縮める。円柱体の外れ防止具5は回転運動を直線運動に変えるカムのような働きをする。
【００２６】
外れ防止具5に設けた棒状の回り止め４がパイプに当たるまで回し込み手を離すと、外れ防止具5はコイルバネ１０の力でパイプ側に常に押されて回ったりすることはない。丸棒１５に下方からの外力が働き外れ防止具５がバネ１０側に押されても、バネ１０は押し返し外れ防止具５をパイプ側に押し続けるため本体は床上に外れ落ちるようなことはない。また、このものの丸棒１５に着物の帯をたくさん掛けてロッド1がさらにたわむようなことがあってもコイルバネ10は外れ防止具５をパイプＤ側に押し続けるため外れ防止作用は働き続ける。外す時も、丸棒15を下方におさえロッド1をたわませる必要がなく、外れ防止具5を手前に指で回すだけで外れ防止機能を解除できる。そして、フック３を少し持ち上げ本体を斜めにし、手前側に９０度ほどひねりパイプへの絡みを解き、コイル（ａ）を斜め下方に押し出す。すると、外れ防止具5も回り本体をパイプから取り外せる。
【００２７】
次に、通しタイプで外れ防止具５の軸穴6の短い物は次のように使用する。取り付け側のパイプに本体のコイル（a）を通し、所定に位置に止める。次に、ロッド1を下方に押さえ込みたわませながらロッド1上の外れ防止具5を滑らしパイプの周壁に押し当て手を離す。すると、たわんだロッド１が元に戻ろうとする力によって、軸穴6とロッド１との間に大きな摩擦が生じ、また取り付けパイプと外れ防止具5の接触する部分にも大きな摩擦が生じる。そのため、外れ防止具5は動かず、下方からの外力もブロックする。本体は、コイル（a）に設けた摩擦の大きな被覆材7の作用もありしっかりとパイプに絡みつき外れ落ちることはない。そして、先端側に丸いかぎ状フックにランタン等を吊るし掛ける。また、吊り下げる重量が大きくてロッド1が更にたわむようなことがあっても磁石等の回りとめ4の働きによりロッド1の向こう側にまわり落ちることもなく外れ防止機能は作用続ける。外す時は、逆の操作すなわち、ロッド1を下方に押さえ込みロッド１をたわませ、外れ防止具5を手前又は後ろ側に軽く回したり、ロッド1の先端側に滑らしたりして外れ防止機能を解除する。
【００２８】
次に、通しタイプで外れ防止具５の軸穴6の長いものは次のように使用する。取り付け側のパイプに本体のコイル（ａ）を通し、所定に位置に止める。そして、ロッド１を下方に押さえ込みロッド1をたわませながら、外れ防止具5を取り付けパイプの周壁に当てて回り止め４が取り付けパイプに当たるまで回し込み、手を離す。すると、たわんだ力は外れ防止具5をロッド１上の挟持片8側に押そうとするが、挟持片8はロッド1にしっかりと固定されているため、取り付けパイプ等と外れ防止具5の接触する部分に大きな摩擦が生じ外れ防止具5は動かない。また、コイル（ａ）及びコイル（ａ）寄りのアーム（ｂ）にかけて設けた摩擦の大きな被覆材の作用も手伝い、本体は取り付けパイプにしっかりと固定され、外力が働いても外れ落ちることはない。もし、重い帯を数枚重ねて掛けるようなことがありロッド1がさらにたわむようなことがあっても回り止め4が働き外れ防止具５は向こう側に回り落ちることはない。外す時は、逆の操作すなわち、ロッド1を下方に押さえ込みながら外れ防止具5を手前側または後ろ側に回し取り外す。
【００２９】
次に、通しタイプで外れ防止具５の軸穴6の長くバネ１０を併用するものは次のように使用する。取り付け側のパイプに本体のコイル部を通し、所定に位置に止める。このものは、外れ防止具5を操作するときにロッド１を下方に押さえ込みロッド１をたわませる必要がない。円柱体の外れ防止具5を取り付け円筒パイプの周壁に当てて回し込むと、外れ防止部具５は取り付けパイプの周壁上を回りながら同時に挟持片8側にロッド１上を滑り動きロッド1に設けたコイルバネ10を押し縮める。外れ防止具5に設けた棒状の回り止め４がパイプ側に当たるまで回し込み手を離すと、外れ防止具5はコイルバネ１０の力で取り付けパイプ側に常に押されて回ったりすることなく取り付け側のパイプに止まる。下方からの外力が働いてもコイルバね１０は外力を吸収し外れ防止具5を取り付けパイプ側に押し続けるため、またコイル（a）及びコイル（ａ）寄りのアーム（ｂ）にかけて設けた摩擦の大きな被覆材の作用も手伝い、本体は円筒パイプにしっかりと絡みつき床上に外れ落ちるようなことはない。また、このもののロッド1側に着物の帯を何枚も掛けてロッド1がさらにたわむようなことがあってもコイルバネ10は外れ防止具５をパイプ側に押し続けるため外れ防止作用は働き続ける。外す時も、ロッド１を下方におさえロッド1をたわませる必要がなく、外れ防止具5を手前又は後ろ側に回すだけでよい  
【００３０】
本発明に係るハンガー用外れ防止具５のうち、短い軸穴6を持つものは通しタイプ及び横掛けタイプの両者とも単独で使用できる。軸穴の長いものにおいては両者とも挟持片8を必要とする。このものを従来のハンガーに取り付け使用する作用は本発明に係るハンガーと同じである。
【００３１】
以上のものにおいて、コイル（a）及びアーム（b）には丸棒や角棒等の棒状のもの、板状のもの、丸パイプや角パイプ等の筒状のものを使用できる。そして、材質としては金属以外に、合成樹脂製、ガラス製、陶器製、木製のもの等が利用できる。又、コイル（a）とアーム（ｂ）は棒等のもので一体に製作することもできるし、コイル（a）とアーム（b）を別体として連結したものとしてもよい。また、実施例におけるコイルの巻きか方は、上方に向かって右巻きに巻かれているが左巻きとしてもよい。
次に、ここでいう棒状体は、二つの意味を持つ。一つは外れ防止掛け具本体を掛け吊るすための柱としての棒・パイプ等の棒状体を意味する。もう一つの意味は外れ防止具掛け具本体に掛ける、例えば、剣道の竹刀・野球のバッド・吊り竿・ゴルフのクラブ等の棒状体を意味する
次にコイルの形状は円筒状に巻いたもの、三角状に巻いたもの、四角状に巻いたもの等が使用できる。
【００３２】
次に、バネ１０としては押しバネばかりでなく引きバネも使用できる。また、板ばね等を合成樹脂等で持ち上がり防止部材と一体化したものとしてもよい。そして、バネ材で製作した外れ防止具（5）も使用できる。
次に、被覆材７としては摩擦の大きな合成樹脂や合成ゴムで製作されたチューブ状のものを通しいれる以外に、摩擦の大きなものを貼り付けたり、溶着したりしたものとしてもよい。また、ぴったりと通しいれた厚手のチューブ等は挟持片８や滑り止め用のストッパー１８として使用できる。
【発明の効果】
【００３３】
本発明に係る外れ防止掛け具を使用するときは、操作が非常に簡単で、荷重が掛かっていてもいなくても外力が作用したときに、取り付け側の柱状体の回りを滑り落ちたり床等に落下したりするようなことはない。
又、逆に柱状体を掛けるために本発明の外れ防止掛け具を使用したときにおいて、操作が非常に簡単で荷重が掛かっていてもいなくても外力によってコイル（a）側に通した柱状体がコイル（a）の中を滑り動いたり抜け落ちたり、あるいはコイル（a）側にからめ止めた柱状体が床等に落下したりするようなことはない。
本発明に係る外れ防止掛け具用滑り防止具を従来ハンガー取り付けて使用する場合の効果も同様である。
【図面の簡単な説明】
【００３４】
【図１】発明を実施するための形態を示す正面図である
【図２】実施例１を示す正面図である。
【図３】実施例２の構造及び作用を示す正面図である。
【図４】実施例３を示す正面図である。
【図５】実施例４を示す部分断面正面図である。
【図６】実施例５を示す部分断面正面図である。
【図７】従来技術を示す正面図である。
【図８】従来技術を示す平面図である。
【図９】実施例５における外れ防止具５の斜視図である。
【図１０】外れ防止具５を示す斜視図である。
【図１１】外れ防止具５を示す斜視図である。
【図１２】外れ防止具５を示す斜視図である。
【図１３】実施例６の構造及び作用を示す正面図である。
【図１４】外れ防止具５を示す正面図である。
【図１５】外れ防止具５を示す斜視図である。
【図１６】実施例７を示す部分断面正面図である
【図１７】実施例８に示す部分断面正面図である。
【発明を実施するための形態】
【００３５】
発明を実施するための形態を図１に基づいて説明する。図１は正面図である。
断面矩形のロッド１の一端側は、取り付け側のパイプＡである断面正方形の角筒にはまる寸法よりも少し大きなピッチと内径で円筒形に１巻きほど巻いたコイル状にし、パイプＡに横から絡ませることができるようにしている。パイプAに取り付けたロッド1の他端側は、曲線状のコイル（ａ）より横方向に、水平ではなく先上がりにまっすぐに伸びるアーム（b）の先端側を丸いかぎ状のフック３としている。また、コイル（ａ）を含めたロッド１の一端側には樹脂製チューブの被覆材７を通している。そしてアーム（b）に外れ防止具５の軸穴６を通し、外れ防止具５がアーム（b）上で前後にスライドできるようにしている。この外れ防止具５は、ロッド１に丁度はまる長方形の軸穴６をもった短いスリーブ上に、スリーブ長と同じくらいの寸法の径をもつ丸棒をパイプＡ側に傾けて設けている。そして、このものの長さはパイプA側に渡しかけられる十分な長さとしている。
【００３６】
図１に示したものは、次のように使用する。先端側のフック部３を握り、コイル（ａ）寄りのアーム（b）パイプＡの側面にあてがい、コイル部（ａ）をパイプAの横から引き込めるようにして、コイル部（ａ）を斜め上方向に引き入れて、（コイル（ａ）がパイプＡを抱き込みパイプＡの外周に位置するようにして）向こう側に９０度ほどひねりコイル部（ａ）をパイプＡに絡ませる。そして、軸穴6の短いこの外れ防止具5をコイル（ａ）寄りに滑らし移動させておく。次に、ロッド1を下方に押さえ込みたわませながら外れ防止具5をパイプＡの周壁に押し当て手を離す。すると、たわんだロッド１が元に戻ろうとして外れ防止具5の先端側がパイプＡ側に押し付けられて、軸穴6とロッド1との間に大きな摩擦が生じ、同時にパイプＡと外れ防止具（5）の接触する部分にも大きな摩擦が生じる。
【００３７】
そのため、外れ防止具5は動かず、下方からの外力もブロックできて本体はパイプＡにしっかりと絡みつき外れ落ちることはない。そして、丸いかぎ状のフック3にランタン等を吊るし掛ける。ランタンが非常に重くロッド1がさらにたわむような場合は、持ち上がり防止具5を更にパイプA側に押し付ければよい。外す時は、逆の操作すなわち、ロッド1を下方に押さえ込みロッド１をたわませる。すると、容易に外れ防止機能を解除できる。そして、外れ防止具5をフック3側にスライドさせる。次に、フック３を少し持ち上げ本体を斜めにし、ロッド１を手前側に９０度ほどひねりパイプＡへの絡みを解き、コイル（ａ）を斜め下方に押し出し、本体をパイプＡから取り外す。また、少し太めの取り付け側のパイプ等に絡ませてロッド1が更に斜め上方に傾くような場合でも、外れ防止具5をフック３側に少し移動させた位置で、上述のように外れ防止具5を働かせることができる。
【００３８】
また、このハンガーには、角棒のロッド１にピッタリとはまる円形の短い軸穴６を備えた図10、11に見られる形状の外れ防止具５も使用することもできる。図１０にみられる外れ防止具５は、円形の板を4等分した扇形のかなめ部分にロッド1にちょうどはまる軸穴6を設け軸穴6と円弧までの長さをパイプA側に渡し掛ける事が出来る十分な長さとしている。このものは、ロッド1が水平状態からあまり傾かない状態で取り付けられれば扇形の外れ防止具5を向こう側に回動させてコイル（a）に乗せ掛けて外れ防止機能を働かせることもできる。外すときは、ロッド1をたわませた状態で外れ防止具５を手前に回して外れ防止機能を解除できる。図11に見られる外れ防止具５は、円筒の一方に底を設け円形のその底の中心にロッド1がちょうどはまる軸穴6を設けている。このものの内径と深さは、ロッド１上を滑らせ開口した筒の先端側がパイプAに押し当てることができるように、すなわち絡めたコイル（a）の一部が筒内にすっぽりとはまりこむ大きさとしている。外す時は、ロッド1をたわませて外れ防止具5をフック3側にずらしてから本体の取り外し操作を行う。
【実施例１】
【００３９】
実施例１を図２に基づいて説明する。図２は実施例１を示す正面図である。
丸棒のロッド１の一端側は、取り付け側のパイプＥであるテーパー状の鉄製円筒の外径寸法よりも少し大きなピッチと内径で円筒形に１巻きほど巻いたコイル状にし、パイプＥに横から絡ませることができるようにしている。コイル（ａ）を含めたロッド１の一端側には合成ゴム製の被覆材７であるチューブを通し、パイプEに取り付けたロッド1の他端側は曲線状のコイル部ａより横方向に水平でなく先上がりにまっすぐに伸びるアーム（b）の先端側を丸いかぎ状のフック３としている。そして、コイル（ａ）寄りのアーム（b）部に外れ防止具５の長い軸穴６を通し、外れ防止具５が小さな角度で前後に回動できるようにしている。また、ロッド1に通した挟持片８が外れ防止具５の右側に近接している。
【００４０】
このものの外れ防止具５は、半円形で厚みのある板状のものである。ロッド1に通す軸穴6は円弧側ではなく弦のすぐ際でしかも弦の中央よりも離れた位置に設け、軸穴6から弦の一端までの長さはパイプＥ側に渡し掛けることができる十分な長さとしている。軸穴6から弦の他端までの長さはコイル（ａ）側に達しない長さとしている。また、この軸穴6の上側にはスリット状の回り止め４も設けている。挟持片８は、ロッド1にちょうどはまる肉厚筒の下端側に雌ねじを設けてそれに蝶ねじ９（雄ねじ）をねじ込み、上端側には外れ防止具５に設けたスリット状の回り止め４内にはいり込み反対側に少し突出した先端に抜け防止用のストッパー２１を設けたピン２０を取り付けている。挟持片8は外れ防止具5から外れないようにしている。挟持片8の位置は、ロッド1が下方にたわんだときにのみ、回した外れ防止具5がパイプＥと挟持変8の左端との間にはまるような位置としている。
【００４１】
図２に示したものは、次のように使用する。先端側のフック部３を握り、外れ防止具５の弦側をパイプＤ側に押しつけたままロッド1を回して（コイル（ａ）をパイプＥの横から引き込めるようにして）、コイル（ａ）を斜め上方向に引き入れて、コイル（ａ）がパイプＥを抱き込みパイプＥの外周に位置するようにして向こう側に９０度ほどひねりコイル（ａ）をパイプＥに絡ませる。そして、ロッド1を下方に押さえ込みたわませながら外れ防止具5を向こう側に回す。外れ防止具５がパイプＥ側に斜めに掛け渡された時点で、回り止め４のスリット端が挟持変８の上端側に設けたピン２０に当たり外れ防止具5はそれ以上向こう側に回らない。また、このとき外れ防止部具5の重心はロッド1の向こう側に移り外れ防止具5を常に向こう側に回そうとしている。そして、たわんだロッド１が元に戻ろうとしてロッド1にねじ止めされた挟持片8を介して外れ防止具5を押そうとするがパイプＥに当たるため、軸穴6とロッド１との間に大きな摩擦が生じ、同時にパイプＥと外れ防止具5の接触する部分にも大きな摩擦が生じ外れ防止具5はパイプＥと挟持片8との間にしっかりと挟まれ動かない。そのため、本体はパイプＥにしっかりと絡みつき外力が働いても外れ落ちることはない。
【００４２】
そして、丸いかぎ状フック3にランタンを吊るし掛ける。たとえランタンが非常に重いものであってロッド1がさらにたわむようなことがあっても、回り止め４の働きで外れ防止具５は向こう側に回らない。ず、外す時は、逆の操作すなわち、ロッド1を下方に押さえ込みロッド１をたわませながら外れ防止具5を手前側に回す。すると、少し回した時点で今度は反対側のスリット端がピン２０に当たりそれ以上回らず外れ防止機能を解除できる。このとき外れ防止部材5の重心はロッド1の手前側に移っている。次に、フック３を少し持ち上げ本体を斜めにし、ロッド１を手前側に９０度ほどひねりパイプＥへの絡みを解き、コイル（ａ）を斜め下方に押し出す。すると、外れ防止具5も回り本体をパイプＤから取り外すことができる。
【００４３】
また、テーパー状のパイプＥの径が大きくなるところで絡ませてロッド1が更に斜め上方に傾く場合、すなわちロッド1をたわませても外れ防止具5をパイプＥと滑り止め8の左端との間にはめられないときは、蝶ねじ9を緩めて真下に向けたまま挟持片8をフック３側に少し移動させ固定し、外れ防止具5を働かせることができる。また、パイプＥと挟持片8との間隔を微調整してたわみの弾力も調整でき、取り付けるパイプ側等への本体の保持力を加減できる。そして、外れ防止具5を向こう側に大きく回してコイル（ａ）に乗せ掛ける必要がなく、非常に小さな回し込みで、外れ防止具５を操作できる。
【００４４】
また、このものにおいても、軸穴6の短い図１２に示した外れ防止具５も使用できる。この外れ防止具５は、半円形で薄い板状のもので、ロッド1に通す短い軸穴6は円弧側ではなくて弦のすぐ際でしかも弦の中央よりも下方に設けて、軸穴6から弦の上端までの長さは木柱Ｂ側に斜め上方に渡し掛けることができる十分な長さとしている。また軸穴6から弦の下端までの長さはコイル部ａの底部側に達する長さとしている。そして、弦の上端側に磁石製の回り止め4を埋め込み、外れ防止具５の回り落ちを防ぎ、小さな回しこみ操作を可能したりする以外に、磁石の吸着力で外れ防止具5をパイプＥ側に引き付ける機能及び本体を吊り下げることのできる機能も合わせもっている。このものにおいても、非常に小さな回し込みで、外れ防止具５を操作できる。
【実施例２】
【００４５】
実施例２を図３に基づいて説明する。図３は実施例２の構造及び作用を示す正面図である。
丸棒のロッド１の一端側は、取り付けるスチール製の円筒パイプCの外径寸法よりも少し大きなピッチと内径で円筒形に１巻きほど巻いたコイル状にし、パイプＣに横から絡ませることができるようにしている。コイル（ａ）を含めたロッド１の一端側には樹脂製チューブの被覆材７を通し、パイプCへ取り付けたロッド1の他端側は、曲線状のコイル（ａ）より横方向に、水平ではなく先上がりにまっすぐに伸びる長いアーム（b）の先端側をかぎ状のフックとしている。そして、コイル（ａ）寄りのアーム（b）に円柱状の外れ防止具５の長い軸穴６を通し、持ち上がり防止具５がパイプ２上で回動及び前後にスライド可能にしている。また、ロッド1上に固定した肉厚で筒状のストッパー１8を外れ防止具5の右側近くに設けている。この外れ防止具５はパイプＣ側に渡しかける十分な長さ（径）をもった両面が円形の背の低い円柱体で、ロッド１に通す長い軸穴６は円柱体の軸と平行に外周壁のすぐ際に設けている。ストッパー１８側を向く円形の面において、円の中心から見た軸穴6方向とは反対方向の円周のすぐ際に細長い板ばね１０の一端をピン１１、１１で止め、他端側に設けた大きめのロッド1用穴はロッド1に通している。図3において、外れ防止具5は被覆材7に当接せず板バネ１０は全く利いていない。また、反対側のパイプＣ側を向く円形の面においては、円の中心から見た軸穴6方向とは反対側の円周のすぐ際に磁石製の回り止め4を埋め込んでいる。
【００４６】
図3に示したものは、次のように使用する。先端側のフック部３を握り、外れ防具材５をパイプＣ側に押しつけたままロッド1を回してコイル（ａ）をパイプＣの横から引き込めるようにして、コイル（ａ）を斜め上方向に引き入れて、（コイル（ａ）がパイプＣを抱き込みパイプＣの外周に位置するようにして）向こう側に９０度ほどひねりコイル（ａ）をパイプＣに絡ませる。このものは、外れ防止具5を操作するときにロッド1を下方に押さえ込みたわませる必要がない。持ち上がり防止具5をパイプＣの周壁に当てて親指で回し込むと、軸穴6の長い外れ防止具５は周壁上をスムースに滑りながら同時にストッパー１8側へ回りながらロッド１上を滑り動き外れ防止具5に設けた板ばね１０を押し縮める。円柱体は回転運動を直線運動に変えるカムのような働きをする。
【００４７】
外れ防止具5に設けた磁石製の回り止め４がパイプＣに当接した時点で手を離すと、外れ防止具5は板バネ１０の力でパイプＣ側に押され同時に磁力によりパイプＣ側に吸い付き回ったりすることはない。ロッド1の先端側に下方からの外力が働き外れ防止具5をバネ方向に押しても板バネ１０が外力を吸収し押し返し持ち上がり防止具5をパイプＣ側に押し続けるため本体は床上に外れ落ちるようなことはない。また、吊り掛けるランタン等が非常に重いものであってロッド1がさらにたわむようなことがあっても、外れ防止具5は板ばね１０によりパイプＣ側に押され続け回ることはない。外す時も、ロッド1を下方に押さえ込む必要がなく外れ防止具5を指で手前に回すだけで外れ防止機能を解除できる。そして、フック３を少し持ち上げ本体を斜めにし、ロッド１を手前側に９０度ほどひねりパイプＣへの絡みを解き、コイル部ａを斜め下方に押し出す。すると、外れ防止具5も回り本体をパイプＣから取り外せる。
【００４８】
このものにおいては、回り止め4の磁石は外れ防止具5を鉄パイプ側に引き寄せる作用もある。パイプＣの径が多少大きなものに絡ませてロッド1が更に斜め上方に傾くことがあっても板ばね１０の作用により外れ防止具5を有効に働かせることができる。また、本体を掛け外すときにロッド1をたわませるための押さえ込み操作を必要としない。円柱体を向こう側に大きく回してコイル部ａに乗せ掛ける必要がなく、滑らかな小さな回し込みで、外れ防止具５を操作できる。
【実施例３】
【００４９】
実施例３を図４に基づいて説明する。図４は実施例３を示す正面図である。
円筒パイプ２の一端側は、取り付け側の円柱状木柱Ｂの外径寸法よりも少し大きなピッチと内径で円筒形に１巻きほど巻いたコイル状にし、木柱Ｂに横から絡ませることができるようにしている。コイル（ａ）を含めたパイプ２の一端側には樹脂製チューブの被覆材７を通し、木柱Bへ取り付けたロッド1の他端側は、曲線状のコイル（ａ）より横方向に、水平ではなく先上がりにまっすぐに伸びる短いアーム（b）となっている。そして、コイル（ａ）寄りのアーム（b）に円柱状の外れ防止具５の長い軸穴６を通し、外れ防止具５がパイプ２上で回動及び前後にスライド可能にしている。
【００５０】
また、短いアーム（b）の先端側を着物の帯幅くらいの長さで一端側に穴12を設けた木製の丸棒に差し込み固定している。このものにおいては、帯かけ用の丸棒が挟持変８となっている。このもの外れ防止具５は、木柱Ｂ側に渡し掛けることのできる十分な長さ（径）をもった両面が円形の背の低い円柱体で、パイプ２に通す長い軸穴６は円柱体の中心軸と平行に外周壁のすぐ際に設けている。そして木柱Ｂ側を向く円形の面において、円の中心から見た軸穴6方向とは反対側の円周のすぐ際には、木柱Ｂ側に渡し掛けられる長さをもった細い棒状の回り止め4を面に垂直に設けている。パイプ2上において、挟持変8である丸棒の左端のポジションは、パイプ2を下方にたわませたときに、外れ防止具５を回り止め4が木柱Ｂに当たるまで抵抗なく回し込め、しかもたわめたパイプ2が元に戻ろうとしたときには、円柱状の外れ防止具5を木柱Ｂ側との間ではさみ込める位置としている。
【００５１】
図４に示したものは、次のように使用する。丸棒でできた挟持片8の中央を握り、外れ防止具５を木柱Ｂ側に押しつけたまま丸棒を回してコイル（ａ）を木柱Ｂの横から引き込めるようにして、コイル（ａ）を斜め上方向に引き入れて、（コイル（ａ）が木柱Ｂを抱き込み木柱Ｂの外周に位置するようにして）向こう側に９０度ほどひねりコイル（ａ）を木柱Ｂに絡ませる。そして、丸棒の挟持片8を手の平で下方に押さえ込みパイプ２をたわませながら、被覆材7に近接していた外れ防止具5を木柱Ｂの周壁に当てて親指で回し込むと、軸穴6の長い外れ防止具5は木柱Ｂの周壁上をスムースに滑りながら同時に挟持片8側へ回りながらパイプ2上を滑り動く。円柱体は回転運動を直線運動に変えるカムのような働きをする。
【００５２】
たわませたまま回り止め４が木柱Ｂに当たるまで回し込み手を離す。または次のように操作することもできる。パイプ2をたわませながら丸棒の裏側から中指で外れ防止具5をはじき出し、手を離す。（円柱の持ち上がり防止具5は一瞬にして回り止め4がパイプBに当たるまで回転し、外れ防止具5の重心はパイプ２の向こう側に移り持ち上がり防止具5を常に向こう側に回そうとしている。）すると、たわんだパイプ2は元に戻ろうとしてパイプ2に固定された挟持片8を介して外れ防止具5を木柱Ｂ側に押し付ける。そのため外れ防止具5は木柱Ｂと挟持片８との間で強く挟まれる。本体は木柱Ｂにしっかりと固定され、下方から外力が働いても外れ落ちることはない。また、次のような使い方もできる。丸棒を下方に押さえてパイプ2をたわませるのではなく、円柱体の外れ防止具5を木柱Ｂと丸棒（挟持片８）の左端との間に割り込ませるように回り止め4が木柱Ｂに当たるまで強く回し込む。強く回しこむことによりパイプ2をたわませる。
【００５３】
そして、滑らかな丸棒でできた挟持片8上に着物の帯等を横から乗せ掛け使用する。重い帯を数枚重ねて掛けるようなことがありパイプ2がさらにたわむようなことがあっても回り止め4が働き外れ防止具５は向こう側に回り落ちることはない。外す時は、逆の操作すなわち、丸棒でできた挟持片8を下方に押さえ込みながら外れ防止具（5）を指で手前に回し外す。次に、丸棒の挟持片8を少し持ち上げ本体を斜めにして、丸棒（挟持片８）を手前側に９０度ほどひねり持ち上げ木柱Ｂへの絡みを解き、コイル（ａ）を斜め下方に押し出し、本体を木柱Ｂから取り外せる。このものにおいても、円柱体を向こう側に大きく回してコイル部（ａ）に乗せ掛ける必要がなく、滑らかな小さな回し込みで、外れ防止具５を操作できる。
【実施例４】
【００５４】
実施例４を図５に基づいて説明する。図５は実施例４を示す部分断面正面図である。
丸棒のロッド１の一端側は、取り付け側のパイプＤであるテーパー状円筒の中間辺りの外径寸法よりも少し大きなピッチと内径で円筒形に１巻きほど巻いたコイル状にし、パイプＤに横から絡ませることができるようにしている。コイル部（ａ）を含めたロッド１の一端側には樹脂製チューブの被覆材７を通し、パイプDへ取り付けたロッド1の他端側は、曲線状のコイル（ａ）より横方向に、水平ではなく先上がりにまっすぐに伸びる短いアーム（b）となっている。そして、コイル（a）寄りのアーム（b）に外れ防止具５の長い軸穴６を通し、外れ防止具５がロッド1上で回動及び前後にスライドできるようにしている。
【００５５】
また、アーム（ｂ）が短いロッド１の先端側に、ロッド１上に固定したリング状のストッパー１8を設け、外れ防止具5との間のロッド１上に座金１７とコイルばね１０をはめ入れ、コイルばね１０で外れ防止具5を押し付けて被覆材7に当接させている。このものの外れ防止具（５）は、パイプＤ側に渡し掛けることのできる十分な長さ（径）をもった両面が円形の背の低い円柱体で、ロッド１に通す長い軸穴６は円柱体の軸と平行に外周壁のすぐ際に設けている。パイプＤ側を向く円形の面において、円の中心から見た軸穴6方向とは反対側の円周のすぐ際に木柱Ｂ側に渡し掛けられる長さをもった細い棒状の回り止め4と外れ防止具5と一体化して面に垂直に設けている。そして、ストッパー１8から先のロッド1の先端側を、着物の帯幅くらいの長さで一端側にコイルばね10も一緒に収容できる穴1３とロッド１が丁度はまる穴14を設けた木製の丸棒１５に差し込み固定して、穴1３を設けた側の丸棒１５の一端が外れ防止具5の右側近くに位置するようにしている。
【００５６】
図５に示したものは、次のように使用する。丸棒１５の中央辺りを握り、外れ防止具５をパイプＤ側に押しつけたまま丸棒１５を回してコイル（ａ）をパイプＤの横から引き込めるようにして、コイル（ａ）を斜め上方向に引き入れて、（コイル（ａ）がパイプＤを抱き込みパイプＤの外周に位置するようにして）向こう側に９０度ほどひねりコイル（ａ）をパイプＤに絡ませる。このものは、外れ防止具5を操作するときに丸棒１５を下方に押さえ込みロッド１をたわませる必要がない。外れ防止具5をパイプＤの周壁に当てて親指で回し込むと、軸穴6の長い外れ防止具５はパイプＤの周壁上をスムースに滑りながら同時にストッパー１8側へ回りながらロッド１上を滑り動きロッド1に設けたコイルバネ10を押し縮める。円柱体の持ち外れ防止具5は回転運動を直線運動に変えるカムのような働きをする。
【００５７】
外れ防止部具（5）に設けた棒状の回り止め４がパイプＤに当たるまで回し込み手を離すと、外れ防止具5はコイルバネ１０の力でパイプＤ側に常に押し付けられて回ったりすることはない。丸棒１５に下方からの外力が働き外れ防止具5がバネ１０側に押し付けられても、バネ１０は押し返して外れ防止具5をパイプＤ側に押し続けるため本体は床上に外れ落ちるようなことはない。また、このものの丸棒１５に着物の帯をたくさん掛けてロッド1がさらにたわむようなことがあってもコイルバネ10は外れ防止具５をパイプＤ側に押し続けるため外れ防止作用は働き続ける。外す時も、丸棒15を下方におさえロッド1をたわませる必要がなく、外れ防止具5を手前に指で回すだけで外れ防止機能を解除できる。そして、フック３を少し持ち上げ本体を斜めにし、手前側に９０度ほどひねりパイプＤへの絡みを解き、コイル（ａ）を斜め下方に押し出し、本体をパイプから取り外せる。
【００５８】
このものにおいても、円柱体を向こう側に大きく回してコイル（ａ）に乗せ掛ける必要がなく、滑らかな小さな回し込みで、外れ防止具５を操作できる。また、テーパー状のパイプＤの径が大きくなるところで絡ませて丸棒15が更に斜め上方に傾いてもコイルバネ１０の作用により外れ防止具5を働かせることができる。また、本体を掛けたり、外したりするときにロッド軸1をたわませるための押さえ込み操作を必要としない。
【実施例５】
【００５９】
実施例５を図６に基づいて説明する。図６は実施例５を示す部分断面正面図である。
丸棒のロッド１の一端側は、取り付け側の木柱Ｂの外径寸法よりも少し大きなピッチと内径で円筒形に１巻きほど巻いたコイル状にし、木柱Ｂに絡ませることができるようにしている。木柱Bへ取り付けたロッド1の他端側は、曲線状のコイル（a）より横方向に、水平ではなく先上がりにまっすぐに伸びる長いアーム（ｂ）となっている。また、コイル状のコイル部ａを含めたロッド１の一端側には樹脂製チューブの被覆材７を通している。そして、コイル（ａ）寄りのアーム（ｂ）からアーム（ｂ）の先端にかけて、円柱体と着物の帯幅ほどの長さの丸棒を一体化した外れ防止具5の長い軸穴6を通し、外れ防止具５がロッド1上で前後に回動及びスライドできるようにしている。
【００６０】
このものの外れ防止具５は、図9に示すようにロッド1上で回動させたときに木柱Ｂ側に渡し掛けることのできる十分な径と、本体を木柱Ｂの横から取り込み絡ませることのできる十分な空間を確保するための木柱Ｂの外径寸法よりも大きな高さとを持った円柱体に、着物の帯幅くらいの長さで少し太めの丸棒の一端側を円柱体の底部よりはみ出して一体化したものである。
（中心に軸穴6を持つ丸棒のみをロッド1上で回動できる外れ防止具5として使用した場合、軸穴6より丸棒の外周まで距離がありすぎてコイル（a）の引き込み口に木柱B側へコイル（ａ）を引き込むことができない。）木柱Ｂ側を向く円柱体の円形の面において、軸穴6から円の中心に向かう方向と平行ではなく少しの角度を持った方向に、木柱Ｂの周壁にはまる溝を設けて外れ防止具５の回り止め４としている。ロッド１に通す軸穴６は、円柱体の軸と平行に外周壁のすぐ際に設け丸棒も中心も一緒に貫き通したものとしている。さらに丸棒の他端側は一段と大きくした穴1６としている。そして、この外れ防止具５をロッド1の先端側よりコイル（ａ）寄りに差し込み、穴１６より外側にチョット顔を出すロッド1の先端側に少し強めのコイルばね１０をはめこみコイルばね10の１端側を潰し、ロッド1上での滑り止めの効果を持たせている。そして、強めのコイルバネ１０により、大きい外れ防止具5を樹脂性チューブの被覆材7側に付勢させ当接させている。
【００６１】
図６に示したものは、次のように使用する。コイル（ａ）と外れ防止具5を両手で水平にもって外れ防止具5またはロッド1を適度に回し、コイル（ａ）を木柱Ｂ側へ引き込めるようにして、コイル（ａ）を斜め上方向に引き入れて、（コイル（ａ）が木柱Ｂを抱き込み木柱Ｂの外周に位置するようにして）向こう側に９０度ほどひねりコイル（ａ）を木柱Ｂに絡ませる。このものは、外れ防止具5を下方に押さえ込みロッド１をたわませる操作が必要ない。つぎに、長い丸棒と一体になっている円柱体を木柱Ｂの周壁に当てて回し込むと、丸棒と円柱体を一体化したものである軸穴6の長い外れ防止具５は、回りながら同時にロッド１上をコイルバネ１０側にすべり動きロッド1の先端側に設けたコイルバネ10を押し縮める。この円柱体は回転運動を直線運動に変えるカムのような働きをする。
【００６２】
さらに、持ち上がり防止具5の円柱体に設けた溝状の回り止め４が木柱Ｂ側にはまり込むまで回して手を離す。すると、外れ防止具5はコイルバネ１０の力で木柱Ｂ側に押しつけられるため回ったりすることはない。外れ防止具5の先端側に下方からの外力が働き、てこの原理で外れ防止具5をロッド１の先端側にスライドさせてもコイルバネ１０は外れ防止具5を押し返し外力を吸収して外れ防止具5を木柱Ｂ側に押し続ける。そのため本体は床上に外れ落ちるようなことはない。また、このものの丸棒に着物の帯を何枚も掛けてロッド1がさらにたわむようなことがあってもコイルバネ10は外れ防止具５を木柱Ｂ側に押し続けるため外れ防止作用は働き続ける。外す時も、外れ防止具５を下方に押さえ込みロッド1をたわませる必要がない。取り付ける場合同様に、外れ防止具5を手前側に適度に回して押し出せるようにして、フック部３を少し持ち上げロッド１を斜めにし、手前側に９０度ほどひねり絡みを解き、コイル（ａ）を斜め下方に押し出し、本体を木柱Ｂから取り外す。
【００６３】
このものにおいては、本体を掛け外すときにロッド1をたわませるための押さえ込み操作を必要としない。外れ防止具5の丸棒の部分だけを握って全ての操作ができ扱い易い。また、円柱体を向こう側に大きく回してコイル（ａ）に乗せ掛ける必要がなく、小さな回し込みで、外れ防止具５を操作できる。また、木柱Ｂより外径が多少大きなものに絡ませて、更に外れ防止具5が斜め上方に傾いてもコイルばね１０の作用により外れ防止具5を働かせることができる。
【実施例６】
【００６４】
実施例６を図１３に基づいて説明する。図１３は実施例６を示す正面図である。
丸棒のロッド１の一端側は、取り付けるパイプＣであるスチール製の円筒の外側にはまる寸法よりも少し大きなピッチと内径で円筒形に１巻きほど巻いたコイル状にし、パイプＣに横から絡ませることができるようにしている。パイプCに取り付けたロッド１の他端側は曲線状のコイル（ａ）より横方向に、水平でなく先上がりにまっすぐに伸びるアーム（ｂ）とかぎ状のフック３とになっている。また、コイル状のコイル部ａを含めたロッド１の一端側には樹脂製チューブの被覆材７を通している。そして、ロッド1上のアーム（ｂ）には、バネ材で製作した線材の一端側をロッド1にちょうどはまるように2巻きほどまいて短い軸穴６とし、他端側は斜め上方側に伸ばして先端側を円弧状に曲げた回り止め４とした外れ防止具5を挿入している。このものの斜め上方に伸びる腕のながさは、パイプＣ側に渡しかけられる十分な長さとしている。そして、この外れ防止具５はロッド1上で前後にスライド及び回動できる。
【００６５】
図１３に示したものは、次のように使用する。先端側のフック部３を握り、コイル部ａ寄りのアーム（ｂ）をパイプＣの側面にあてがい、コイル（ａ）をパイプＣの横から引き込めるようにして、コイル（ａ）を斜め上方向に引き入れて、（コイル（ａ）がパイプＣを抱き込みパイプＣの外周に位置するようにして）向こう側に９０度ほどひねりコイル（ａ）をパイプＣに絡ませる。このものは、ロッド1を押し下げてたわませる必要がない。外れ防止具5をコイル（ａ）寄りに滑らしパイプＣの周壁に強く押し当て手を離す。すると、バネ材で製作した外れ防止具5の弾力で、コイル状の短い軸穴6とロッド1との間に大きな摩擦が生じ、同時にパイプＣと外れ防止具5の接触する円弧状の回り止め４の部分にも大きな摩擦が生じる。
【００６６】
そのため、外れ防止具5は動かない。下方からの外力が働いても押し返し、外れ防止具5自らをパイプＤ側に押し続けるため本体は床上に外れ落ちるようなことはない。また、このもののフック3に大きな荷重を掛けてロッド1がさらにたわむようなことがあっても弾力のある外れ防止具5は自らパイプＣ側を押し続けるため外れ防止作用は働き続ける。外す時も、ロッド1を押さえ込み下方にたわませる必要がなく、外れ防止具5をフック3側にずらすだけで外れ防止具５を解除できる。そして、フック３を少し持ち上げ本体を斜めにし、手前側に９０度ほどひねりパイプＣへの絡みを解き、コイル（ａ）を斜め下方に押し出す。すると、外れ防止具5も回り本体をパイプから取り外せる。また、少し太め又は少し細めの取り付け側のパイプに絡ませてロッド1が斜め上方又は斜め下方に傾く場合でも、この斜め前方に突き出る外れ防止具5は外れ防止機能を働かせることができる。
【００６７】
また、図14及び図１５に示すような外れ防止具５を上述のハンガーに使用することもできる。すなわち薄くて幅の狭い板ばね５を2箇所で折り曲げ、一方は斜め上方に長くして取り付けパイプ等側に渡しかけられるくらいの長さとして他方は直角に短くしている。そして、底部にはロッド1にちょうどはまる2つの穴をあけて軸穴6とし、斜め上方に伸びる先端側を円弧状に折り曲げた回り止め4を設けた外れ防止具５である。このものは、軸穴6の全長が長いため、ロッド1上で滑りやすく単独では用いることができず、取り付け側のパイプ等側との間で外れ防止具５を挟持する挟持片8を併用する。このものも、パイプC側に出っ張っており、少し太め又は少し細めの取り付け側のパイプに絡ませてロッド1が斜め上方又は斜め下方に傾く場合でも、外れ防止機能を働かせることができる。取り付けた少し太め又は少し細めの取り付け側のパイプでも外れ防止具５の機能を働かせることがきる。図１５に示す外れ防止具５は、一端を円筒パイプの軸に直角に、他端側を軸に斜めに切断したもので、断面の一方は円形で他方は楕円形となっている。斜めに切断されたこの円筒の一番背の低い部分の内側にロッド1にちょうどはるパイプを円筒軸に平行に設け軸穴６とし、一番背の高い部分の周壁には取り付けパイプ等の周壁にピッタリはまるように切り欠いた回り止め４を設けている。このものも、軸穴6の全長が長いため、ロッド1上で滑りやすく単独では用いることができず、挟持片8を併用する。そして、この斜め上方に突き出る外れ防止具5は少し太め又は少し細めの取り付け側のパイプに絡ませてロッド1が斜め上方又は斜め下方に傾く場合でも、外れ防止機能を働かせることができる。
【実施例７】
【００６８】
実施例７を図１６に基づいて説明する。図１６は実施例７を示す部分断面正面図である。このものは、重量物を吊るせるようにしたものでロッド1が太く人力では下方にたわめることが困難なためねじによるジャッキ効果を利用している。丸棒のロッド１の一端側は、取り付ける側のパイプＡである断面正方形の角筒の外側にはまる寸法よりも少し大きなピッチと内径で円筒形に１巻きほど巻いたコイル状に、パイプＡに横から絡ませることができるようにしている。パイプAに取り付けたロッド1の他端側は曲線状のコイル（ａ）のより横方向に、水平ではなく先上がりにまっすぐに伸びるアーム（ｂ）と丸いかぎ状のフック３になっている。また、コイル状のコイル部ａを含めたロッド１の一端側には樹脂製チューブの被覆材７を通している。そして、ロッド1上のアーム（ｂ）に円筒スリーブ上に設けた球体状の外れ防止具５の軸穴６を通し、持ち上がり防止具５がロッド1上で前後にスライド及び回動できるようにし、この球体の大きさは取り付けパイプ等側に渡し掛けられる十分な大きさとしている。この外れ防止具５に隣接して太いコイルバネ１０、大き目の座金２４の順にこれらをロッド1上に設けている。座金２４の隣には、ロッド1上に固定した雄ねじ２３とその雄ねじ２３にねじ込まれた雌ねじ２２とからなる挟持片８を設け、ねじのジャッキ効果により強力なコイルバネ１０を押し縮め、球状の外れ防止具5を角パイプＡと挟持片８との間で弾力的に挟持できるようにしている。
【００６９】
図１６に示したものは、次のように使用する。先端側のフック部３を握り、コイル部ａ寄りのアーム（ｂ）をパイプＡの側面にあてがい、コイル（ａ）をパイプの横から引き込めるようにして、コイル（ａ）を斜め上方向に引き入れて、（コイル（ａ）がパイプＡを抱き込みパイプＡの外周に位置するようにして）向こう側に９０度ほどひねりコイル（ａ）をパイプＡに絡ませる。次に、雌ねじ２６を回し込みコイルバネ10を押し縮め外れ防止具5をパイプＡとの間で挟持させる。このものにおいては、ロッド1を下方に押さえ込んでたわませる必要がない。更に重い物を吊り下げてロッド1が更に下方にたわむことや下方からの外力が作用してもコイルバネ１０は外れ防止具５を弾力的に押し続けるためで外れ防止具5は角パイプＡから離れず外れ防止機能を維持することができる。よって、本体はパイプＡにしっかりと絡みつき外れ落ちることはない。
【００７０】
外す時は、逆の操作すなわち、雌ねじ２６を逆方向に回しコイルバネ10の利きを十分に緩めてから外れ防止具５を手前に回し解除する。次に、ロッド1を少し持ち上げ本体を斜めにし、ロッド１を手前側に９０度ほどひねりパイプＡへの絡みを解き、コイル（ａ）を斜め下方に押し出し、本体をパイプＡから取り外す。また、少し太め又は少し細めの取り付け側のパイプに絡ませてロッド1が更に斜め上方又は斜め下方に傾く場合でも、パイプA側に出っ張った球状の外れ防止具（5）は同じポジションで外れ防止機能を働かせることができる。
【実施例８】
【００７１】
実施例８を図１７に基づいて説明する。図１７は実施例８を示す部分断面正面図である。
丸棒のロッド1の一端側は、取り付ける側の木柱Ｂである円柱の外径寸法よりも少し大きなピッチと内径で円筒形に１巻きほど巻いたコイル状にし、木柱Ｂに横から絡ませることができるようにしている。コイル（ａ）を含めたロッド1の一端側には被覆材７である樹脂製のチューブを通し、木柱Bに取り付けたロッド1の先端側は、曲線状のコイル（ａ）より横方向に水平ではなくまっすぐに先上がりに伸びる短いアーム（ｂ）としている。また、その先端側には雄ねじが切られている。そして、コイル（ａ）寄りのアーム（ｂ）に円柱状の外れ防止具５の長い軸穴６を通し、外れ防止具５がパイプ２上で前後にスライド及び回動できるようにしている。
【００７２】
また、雄ねじ２６を切ったロッド１の先端側を着物の帯幅くらいの長さの丸棒２８の一端側に穴２４を設けてその穴２４の中に固定した雌ねじ２７にねじ込めるようにし、穴２４の入り口にはキャップ２５を取り付けている。このものにおいては、穴２４に雌ねじ２７を設けた丸棒２８が、外れ防止具（5）を木柱Ｂとの間で挟持する挟持片８となっている。このものの外れ防止具５は、木柱Ｂ側に渡し掛けることのできる十分な長さ（はば）をもった両面が円形の背の低い円柱体で、ロッド1に通す長い軸穴６は円柱体の軸と平行に外周壁のすぐ際に設けている。そして木柱Ｂ側を向く円形の面において、円の中心から見た軸穴6方向とは反対方向の円周のすぐ際に木柱Ｂ側に渡し掛けられる長さをもった細い棒状の回り止め4を面に垂直に設けている。
【００７３】
図１７に示したものは、次のように使用する。棒状の挟持片8の中央を握り、外れ防止具５を木柱Ｂ側に押しつけたまま丸棒２８を回してコイル（ａ）を木柱Ｂの横から引き込めるようにして、コイル（ａ）を斜め上方向に引き入れて、（コイル（ａ９が木柱Ｂを抱き込み木柱Ｂの外周に位置するようにして）向こう側に９０度ほどひねりコイル（ａ）を木柱Ｂに絡ませる。そして、被覆材7に近接していた軸穴6の長い外れ防止具5を木柱Ｂの周壁に当てて親指で回し込むと、外れ防止具5は木柱Ｂの周壁上をスムースに滑りながら同時に挟持片8側へ回りながらロッド１上を滑り動く。円柱体は回転運動を直線運動に変えるカムのような働きをする。外れ防止具5が棒状の回り止め４が木柱Ｂに当たるまで回し込み、次に棒状の挟持片8を回してねじを効かせ、外れ防止具５を木柱Ｂ側に押し付ける。このとき外れ防止具5の重心はロッド1の向こう側に移り外れ防止具5を常に向こう側に回そうとしている。
【００７４】
そして、滑らかな丸棒でできた挟持片8上に着物の帯等を横から乗せ掛け使用する。重い帯を数枚重ねて掛けるようなことがありロッド1が更にたわむようなことがあっても回り止め4が働き外れ防止具５は向こう側に回り落ちることはない。外す時は、逆の操作すなわち、棒状の挟持片8を取り付けたときとは反対の方向に回して、すなわちねじを緩めて挟み込みを解除して外れ防止具5を指で手前に回し外す。次に、棒状の挟持片8を少し持ち上げ本体を斜めにして、ロッド1を手前側に９０度ほどひねり持ち上げ木柱Ｂへの絡みを解き、コイル（ａ）を斜め下方に押し出す。すると、外れ防止具5も回り本体を木柱Ｂから取り外せる。このものにおいては丸棒２８を押さえ込んで、ロッド1をたわませる必要がなくねじで締めあげる。また、円柱体を向こう側に大きく回してコイル（ａ）に乗せ掛ける必要もなく、滑らかな小さな回し込みで、外れ防止具５を操作できる。
【符号の説明】
【００７５】
(a)      コイル
(b)      アーム
４      回り止め  
５      外れ防止具
６      軸穴
７      被覆材
８      挟持片
１０    バネ
【図１】
2010115480.tif 000003
【図２】
2010115480.tif 000004
【図３】
2010115480.tif 000005
【図４】
2010115480.tif 000006
【図５】
2010115480.tif 000007
【図６】
2010115480.tif 000008
【図７】
2010115480.tif 000009
【図８】
2010115480.tif 000010
【図９】
2010115480.tif 000011
【図１０】
2010115480.tif 000012
【図１１】
2010115480.tif 000013
【図１２】
2010115480.tif 000014
【図１３】
2010115480.tif 000015
【図１４】
2010115480.tif 000016
【図１５】
2010115480.tif 000017
【図１６】
2010115480.tif 000018
【図１７】
2010115480.tif 000019